(57)【要約】【課題】  外壁面の変形や破損を防止することができる機器を提供する。【解決手段】  凹面に形成された底面１４ａに、その底面１４ａに引っ込んだ収容位置とその底面１４ａから突出した突出位置との間で移動自在な、三脚ネジ穴１５ａが形成された三脚ネジ部材１５を備え、三脚ネジ部材１５を突出位置まで移動して三脚ネジ部材１５の先端部１５ｂを三脚台２１に当接して、デジタルカメラを三脚に固定する。【選択図】  図２
2009080420.tif 000002
【特許請求の範囲】
【請求項１】
凹面に形成された外壁面を有する筐体と、
前記外壁面に設けられ、該外壁面に引っ込んだ収容位置と該外壁面から突出した突出位置との間で移動自在な、三脚ネジ穴が形成された三脚ネジ部材とを備えたことを特徴とする機器。
【請求項２】
前記三脚ネジ部材を前記外壁面に引き込む方向に付勢する付勢部材をさらに備えたことを特徴とする請求項１記載の機器。
【請求項３】
前記三脚ネジ部材は、前記筐体の、前記外壁面を形成する部材とは独立に、該外壁面よりも内側の部材に移動自在に支持されていることを特徴とする請求項１又は２記載の機器。
【請求項４】
前記三脚ネジ部材に隣接して配置され、該三脚ネジ部材とともに前記外壁面から出没する、先端が三脚台に当接して該三脚の緩みを止める三脚緩み止めピンをさらに備えたことを特徴とする請求項１から３のうちのいずれか１項記載の機器。
【請求項５】
三脚緩み止めピンは、先端にエッジを有するものであることを特徴とする請求項４記載の機器。
【発明の詳細な説明】
【技術分野】
【０００１】
本発明は、筐体の外壁面に設けられ、三脚ネジ穴が形成された三脚ネジ部材を備えた機器に関する。
【背景技術】
【０００２】
上述した機器の１つであるデジタルカメラには、そのデジタルカメラの筐体の底面に、そのデジタルカメラを三脚に固定するための三脚ネジ穴が形成された三脚ネジ部材が備えられている。ここで、所定未満の速さのシャッタスピードで撮影が行なわれる場合、シャッタボタンの押下時に手ぶれ発生の可能性がある。そこで、デジタルカメラの三脚ネジ部材に形成された三脚ネジ穴に、三脚のネジを螺合させることにより、そのデジタルカメラを三脚に固定して撮影を行なうと、ぶれのない写真を撮影することができる。また、デジタルカメラに備えられたセルフタイマを使用して撮影者自身を撮影する場合にも、そのデジタルカメラを三脚に固定して撮影者自身を撮影するということが行なわれる。
【０００３】
ここで、カメラに備えられた三脚ネジ部材に関する技術がいくつか提案されている。例えば、特許文献１には、カメラ本体にスライド可能に外嵌された有底筒状のスライドカバーが非撮影位置にあるときは、カメラ本体の底部に設けられた収納室に三脚ネジ部材を収納する技術が提案されている。また、例えば、特許文献２には、カメラ使用時には、三脚ネジ部材をカメラ本体の側面から突出した状態にすることができる技術が提案されている。
【特許文献１】特開２０００−２９２６号公報
【特許文献２】特開２００３−２５５４５３号公報
【発明の開示】
【発明が解決しようとする課題】
【０００４】
近年、デザイン的な観点から異形なフォルム（輪郭）を有するデジタルカメラが普及しつつある。例えば、コンパクトで握り易いデジタルカメラを実現するために、そのデジタルカメラの筐体に対して、底面が凹面に形成されたフォルムを有するデザインが施される場合がある。このようなデジタルカメラを三脚に固定しようとして、デジタルカメラの底面に設けられた三脚ネジ部材の三脚ネジ穴に、三脚のネジを螺合して締め込むと、底面は凹面に形成されているため、最初の時点では、デジタルカメラの底面の、中央部を除く周辺部が、三脚の三脚台に接触する。三脚のネジをさらに締め込むと、三脚ネジ部材が三脚の三脚台に向けて引っ張られる。すると、デジタルカメラの、アルミニウム等の金属材料あるいはプラスチック等の樹脂材料からなる筐体の一部である底面が変形したりあるいは破損するという問題が発生する。
【０００５】
ここで、特許文献１には、カメラ本体の底部に設けられた収納室に三脚ネジ部材を収納する技術が提案されているが、デジタルカメラ等の機器に備えられた筐体が有する凹面に形成された外壁面が変形したりあるいは破損するといった問題を解決する技術に関しては提案されていない。また、特許文献２には、三脚ネジ部材をカメラ本体の側面から突出した状態にすることができる技術が提案されているが、やはり上記の問題を解決する技術に関しては提案されていない。
【０００６】
本発明は、上記事情に鑑み、外壁面の変形や破損を防止することができる機器を提供することを目的とする。
【課題を解決するための手段】
【０００７】
上記目的を達成する本発明の機器は、
凹面に形成された外壁面を有する筐体と、
上記外壁面に設けられ、その外壁面に引っ込んだ収容位置とその外壁面から突出した突出位置との間で移動自在な、三脚ネジ穴が形成された三脚ネジ部材とを備えたことを特徴とする。
【０００８】
本発明の機器は、凹面に形成された外壁面に、その外壁面に引っ込んだ収容位置とその外壁面から突出した突出位置との間で移動自在な、三脚ネジ穴が形成された三脚ネジ部材を備えたものである。このため、本発明の機器を三脚に固定する場合、最初の時点では、外壁面の、中央部を除く周辺部が、三脚の三脚台に接触する。次いで、三脚ネジ部材が、外壁面に引っ込んだ収容位置から突出し、最終的に三脚ネジ部材の先端部が三脚台に当接した状態になる。従って、本発明の機器を三脚に固定するにあたり、過大な力（ストレス）が外壁面にかかることはなく、外壁面の変形や破損を防止することができる。
【０００９】
ここで、上記三脚ネジ部材を上記外壁面に引き込む方向に付勢する付勢部材をさらに備えたことが好ましい。
【００１０】
このようにすると、三脚使用時にのみ三脚ネジ部材が外壁面から現れるため、機器の外観性を高めることができる。
【００１１】
また、上記三脚ネジ部材は、上記筐体の、上記外壁面を形成する部材とは独立に、その外壁面よりも内側の部材に移動自在に支持されていることも好ましい態様である。
【００１２】
このようにすると、三脚ネジ部材を、三脚不使用時には外壁面に引っ込んだ収容位置に確実に移動させることができるとともに三脚使用時には三脚ネジ部材を外壁面から突出した突出位置に確実に移動させることができる。
【００１３】
さらに、上記三脚ネジ部材に隣接して配置され、その三脚ネジ部材とともに上記外壁面から出没する、先端が三脚台に当接してその三脚の緩みを止める三脚緩み止めピンをさらに備えたことも好ましい。
【００１４】
このようにすると、三脚ネジ部材とともに三脚緩み止めピンが外壁面から出没して三脚台に当接するため、本発明の機器を三脚に安定して固定することができる。
【００１５】
また、三脚緩み止めピンは、先端にエッジを有するものであることも好ましい。
【００１６】
このようにすると、三脚緩み止めピンの先端のエッジが三脚台に当接するため、三脚の緩みを確実に止めることができる。
【発明の効果】
【００１７】
本発明によれば、外壁面の変形や破損を防止することができる機器を提供することができる。
【発明を実施するための最良の形態】
【００１８】
以下、本発明の実施の形態について説明する。
【００１９】
図１は、本発明の機器の第１実施形態のデジタルカメラを正面から見た図である。
【００２０】
図１には、平坦な表面１ａを有するテーブル１の上に置かれたデジタルカメラ１０が示されている。このデジタルカメラ１０には、撮影レンズ１１と、フラッシュ発光部１２と、シャッタボタン１３と、筐体１４とが備えられている。筐体１４は、金属材料（あるいは樹脂材料）で形成されている。また、筐体１４は、凹面に形成された底面１４ａ（本発明の外壁面の一例に相当）を有する。底面１４ａには、後述する三脚ネジ穴が形成された三脚ネジ部材が設けられている。
【００２１】
図２は、図１に示すデジタルカメラの底面の、中央部分を拡大して示す拡大断面図である。
【００２２】
図２に示すデジタルカメラ１０の底面１４ａには、三脚ネジ部材１５が設けられている。この三脚ネジ部材１５は、底面１４ａに引っ込んだ収容位置と底面１４ａから突出した突出位置との間で移動自在な三脚取付用雌ネジ部材である。この三脚ネジ部材１５には、長さＬを有する三脚ネジ穴１５ａが形成されている。また、この三脚ネジ部材１５は、先端部１５ｂを有する。
【００２３】
また、図２には、以下に説明する三脚２０の三脚台２１が示されており、この図２では、三脚ネジ部材１５の先端部１５ｂが三脚台２１に当接している状態が示されている。
【００２４】
図３は、図１に示すデジタルカメラを三脚に取り付ける様子を説明するための図である。
【００２５】
図３には、図１に示すデジタルカメラ１０と、三脚２０とが示されている。三脚２０には、図２にも示す三脚台２１と、脚部２２と、ツマミ２３ａを有する固定ネジ２３とが備えられている。
【００２６】
デジタルカメラ１０を三脚２０に固定するには、三脚２０の固定ネジ２３のツマミ２３ａを回すことによって、デジタルカメラ１０の底面１４ａに設けられた三脚ネジ部材１５の三脚ネジ穴１５ａ（図２参照）に固定ネジ２３を螺合して締め込む。ここで、デジタルカメラ１０の底面１４ａは凹面に形成されているため、ツマミ２３ａを回した最初の時点では、デジタルカメラ１０の底面１４ａの、中央部Ｐを除く周辺部Ａが、三脚２０の三脚台２１に接触する。ツマミ２３ａをさらに回すことによって固定ネジ２３をさらに締め込むと、三脚ネジ穴１５ａが形成された三脚ネジ部材１５が矢印Ｘ方向に移動する。すると、三脚ネジ部材１５は、底面１４ａに引っ込んだ収容位置から突出し、最終的に図２に示すように三脚ネジ部材１５の先端部１５ｂが三脚台２１に当接した状態になる。ここで、三脚ネジ部材１５の、三脚ネジ穴１５ａが有する長さＬは、中央部Ｐと周辺部Ａとにより定まる距離（矢印Ｘ方向についての距離）よりも長く設定されている。このため、デジタルカメラ１０を三脚２０に固定するにあたり、締め込み時の過大な力（ストレス）は、三脚台２１に当接した三脚ネジ部材１５の先端部１５ｂで受け止められる。従って、デジタルカメラ１０を三脚２０に固定するにあたり、過大な力（ストレス）が底面１４ａにかかることはなく、デジタルカメラ１０の、金属材料（あるいは樹脂材料）からなる筐体１４の一部である底面１４ａが変形したりあるいは破損するということが防止される。
【００２７】
図４は、本発明の機器の第２実施形態のデジタルカメラの底面の、中央部分を拡大して示す拡大断面図である。
【００２８】
尚、第２実施形態のデジタルカメラの外観は、図１に示すデジタルカメラ１０の外観と同じであるため、図示省略する。
【００２９】
図４（ａ）には、底面１４ａに引っ込んだ収容位置にある三脚ネジ部材２５が示されている。一方、図４（ｂ）には、底面１４ａから突出した突出位置にある三脚ネジ部材２５が示されている。図４（ａ），図４（ｂ）に示す三脚ネジ部材２５には、抜け止め防止部材２５ａが設けられている。
【００３０】
また、図４（ａ），図４（ｂ）には、筐体内部構造部材２６が示されている。この筐体内部構造部材２６は、筐体１４（図１，図２参照）の、底面１４ａを形成する部材とは独立に、その底面１４ａよりも内側に設けられている。この筐体内部構造部材２６には、受止め部材２６ａが設けられており、三脚ネジ部材２５は、この筐体内部構造部材２６に移動自在に支持されている。
【００３１】
さらに、図４（ａ），図４（ｂ）には、三脚ネジ部材２５と筐体内部構造部材２６との間に配備された線バネ２７（本発明にいう付勢部材の一例に相当）が示されている。この線バネ２７は、三脚ネジ部材２５を底面１４ａに引き込む方向に付勢する。
【００３２】
第２実施形態のデジタルカメラを三脚２０に固定しない状態では、図４（ａ）に示すように、三脚ネジ部材２５は、底面１４ａに引き込む方向（図４の上側の方向）に線バネ２７で付勢されている。ここで、三脚ネジ部材２５の抜け止め防止部材２５ａが、筐体内部構造部材２６に係止した状態にあるため、線バネ２７で付勢された三脚ネジ部材２５が底面１４ａに引き込む方向に抜けるということが防止されている。
【００３３】
一方、第２実施形態のデジタルカメラを三脚２０に固定した状態では、図４（ｂ）に示すように、三脚ネジ部材２５は、底面１４ａに引き込む方向とは反対の方向（図４の下側の方向）に移動しており、三脚ネジ部材２５の先端部が三脚台２１に当接した状態になっている。ここで、筐体内部構造部材２６の受止め部材２６ａは、三脚ネジ部材２５に当接しており、これにより線バネ２７を締め過ぎるということが防止されている。
【００３４】
第２実施形態のデジタルカメラでは、三脚２０の使用時にのみ三脚ネジ部材２５が底面１４ａから現れるため、底面１４ａが凹面に形成されたフォルムを有するデザインへの悪影響はなく、従ってデジタルカメラの外観性が高められている。
【００３５】
図５は、本発明の機器の第３実施形態のデジタルカメラの底面の、中央部分を拡大して示す拡大断面図および斜視図である。
【００３６】
尚、第３実施形態のデジタルカメラの外観も、図１に示すデジタルカメラ１０の外観と同じであるため、図示省略する。
【００３７】
図５（ａ）に示す、第３実施形態のデジタルカメラの底面１４ａには、三脚ネジ部材３５と、構造部材３６と、三脚ネジ部材３５と構造部材３６との間に配備された線バネ３７（本発明にいう付勢部材の他の一例に相当）とが備えられている。三脚ネジ部材３５は、図５（ｂ）に示すように、構造部材３６に嵌入されている。構造部材３６には、三脚緩み止めピン３６ａが備えられている。この三脚緩み止めピン３６ａは、三脚ネジ部材３５に隣接して配置され、その三脚ネジ部材３５とともに底面１４ａから出没するピンであって、先端が三脚台２１に当接して三脚２０の緩みを止めるピンである。また、線バネ３７は、三脚ネジ部材３５を底面１４ａに引き込む方向（図５の上側の方向）に付勢する。
【００３８】
第３実施形態のデジタルカメラを三脚２０に固定するにあたり、三脚ネジ部材３５が底面１４ａから突出する方向（図５の下側の方向）に移動する際に、三脚ネジ部材３５が構造部材３６と係合して、三脚ネジ部材３５と構造部材３６が底面１４ａから同時に現れる。三脚ネジ部材３５が底面１４ａから突出する方向に十分に移動すると、三脚ネジ部材３５の先端部３５ａが三脚台２１に当接するとともに、構造部材３６の三脚緩み止めピン３６ａも三脚台２１に当接した状態になる。ここで、三脚ネジ部材３５が嵌入されている構造部材３６の径は十分に大きく、この十分に大きな径を有する構造部材３６に備えられた三脚緩み止めピン３６ａにより、第３実施形態のデジタルカメラを三脚２０に安定して固定することができる。
【００３９】
尚、三脚ネジ部材３５と構造部材３６は同じ材料で形成してもよく、あるいは強度を有する三脚ネジ部材３５は金属材料で形成するとともに構造部材３６は樹脂材料で形成してもよい。
【００４０】
図６は、本発明の機器の第４実施形態のデジタルカメラの底面の、中央部分を拡大して示す拡大断面図である。
【００４１】
尚、第４実施形態のデジタルカメラの外観も、図１に示すデジタルカメラ１０の外観と同じであるため、図示省略する。
【００４２】
図６に示す、第４実施形態のデジタルカメラの底面１４ａには、構造部材４５ａを有する三脚ネジ部材４５が備えられている。構造部材４５ａには、先端にエッジを有する三脚緩み止めピン４５ａ１が備えられている。この三脚緩み止めピン４５ａ１は、底面１４ａから出没するピンであって、エッジが三脚台２１に当接して三脚２０の緩みを確実に止めるピンである。
【００４３】
第４実施形態のデジタルカメラを三脚２０に固定するにあたり、三脚緩み止めピン４５ａ１が底面１４ａから現れる。ここで、三脚緩み止めピン４５ａ１の先端はエッジを有するため、そのエッジが三脚台２１に当接して三脚２０の緩みを確実に止めることができる。従って、第４実施形態のデジタルカメラを三脚２０に十分に安定して固定することができる。また、三脚ネジ部材４５は、三脚緩み止めピン４５ａ１を備えた構造部材４５ａを有するものであるため、１つの部材で済み、従ってデジタルカメラの構成が簡素化される。
【００４４】
尚、上述した各本実施形態では、本発明にいう機器として、デジタルカメラの例で説明したが、ビデオカメラ等であってもよい。
【００４５】
また、上述した各本実施形態では、本発明にいう筐体として、デジタルカメラの、凹面に形成された底面を有する筐体の例で説明したが、これに限られるものではなく、本発明にいう筐体は、凹面に形成された外壁面を有するものであればよい。
【図面の簡単な説明】
【００４６】
【図１】本発明の機器の第１実施形態のデジタルカメラを正面から見た図である。
【図２】図１に示すデジタルカメラの底面の、中央部分を拡大して示す拡大断面図である。
【図３】図１に示すデジタルカメラを三脚に取り付ける様子を説明するための図である。
【図４】本発明の機器の第２実施形態のデジタルカメラの底面の、中央部分を拡大して示す拡大断面図である。
【図５】本発明の機器の第３実施形態のデジタルカメラの底面の、中央部分を拡大して示す拡大断面図および斜視図である。
【図６】本発明の機器の第４実施形態のデジタルカメラの底面の、中央部分を拡大して示す拡大断面図である。
【符号の説明】
【００４７】
１  テーブル
１ａ  テーブルの表面
１０  デジタルカメラ
１１  撮影レンズ
１２  フラッシュ発光部
１３  シャッタボタン
１４  筐体
１４ａ  底面
１５，２５，３５，４５  三脚ネジ部材
１５ａ  三脚ネジ穴
１５ｂ  先端部
２０  三脚
２１  三脚台
２２  脚部
２３  固定ネジ
２３ａ  ツマミ
２５ａ  抜け止め防止部材
２６  筐体内部構造部材
２６ａ  受止め部材
２７，３７  線バネ
３６，４５ａ  構造部材
３６ａ  三脚緩み止めピン
４５ａ１  三脚緩み止めピン
【図１】
2009080420.tif 000003
【図２】
2009080420.tif 000004
【図３】
2009080420.tif 000005
【図４】
2009080420.tif 000006
【図５】
2009080420.tif 000007
【図６】
2009080420.tif 000008